(57)【要約】アナログ記録媒体に映像音声信号と共に記録されているコントロール信号を利用することにより、前記映像音声信号をデジタル記録媒体へできるかぎり短い時間でダビングできる情報記録再生装置である。情報記録再生装置は、アナログ記録媒体に記録されたコントロール信号を検出するコントロール信号検出部と、制御部などを備えている。制御部は、ダビング命令が入力されると、再生部により再生された映像音声信号を記録部によりデジタル記録媒体に記録するダビング動作を開始し、ダビング動作中に、前記アナログ記録媒体において前記コントロール信号が記録されていない無記録領域を検出したときは、前記記録部に対して前記デジタル記録媒体への記録を一時的に停止するよう指示する。
2005027132.tif 000002
【特許請求の範囲】
【請求項１】
アナログ記録媒体から映像音声信号を再生する再生部と、映像音声信号をデジタル記録媒体に記録する記録部とを備えた情報記録再生装置であって、
前記アナログ記録媒体に映像音声信号と共に記録されたコントロール信号を検出するコントロール信号検出部と、
前記再生部、前記記録部、および前記コントロール信号検出部の動作を制御する制御部とを備え、
前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示することを特徴とする情報記録再生装置。
【請求項２】
前記ダビング動作中に、前記記録部が前記デジタル記録媒体への記録を一時的に停止した後、前記コントロール信号検出部により前記アナログ記録媒体において前記コントロール信号を再び検出したときは、前記記録部に対して前記デジタル記録媒体への記録を再開するよう指示する、請求の範囲１に記載の情報記録再生装置。
【請求項３】
前記デジタル記録媒体の空き容量を取得する空き容量取得部をさらに備え、
前記制御部が、ダビング命令が入力されると、前記アナログ記録媒体から前記コントロール信号検出部により検出されたコントロール信号に基づいて、前記アナログ記録媒体の映像音声信号の記録時間を算出し、算出された時間に相当する映像音声信号の全てを前記空き容量取得部で取得された前記デジタル記録媒体の空き容量へ記録できるように、前記記録部による映像音声信号の記録時のビットレートを決定し、当該ビットレートに従って前記ダビング動作を開始する、請求の範囲１または２に記載の情報記録再生装置。
【請求項４】
前記アナログ記録媒体としてテープ状媒体を用いる情報記録再生装置であり、
前記テープ状媒体からコントロール信号を読み取るコントロールヘッドを備え、
前記制御部が、ダビング命令が入力されると、まず、終端まで前記テープ状媒体を早送りした後、前記テープ状媒体を始端まで巻き戻す間に、前記コントロールヘッドにより、テープ状媒体に記録されているコントロール信号を取得する、請求の範囲３に記載の情報記録再生装置。
【請求項５】
前記コントロール信号に基づいて算出された、前記アナログ記録媒体に記録されている映像音声信号の記録時間を記憶する記憶部をさらに備え、
前記制御部が、ダビング動作中に前記アナログ記録媒体の終端を検出したとき、ダビング動作を終了するよう前記再生部および記録部に指示し、
ダビング動作の終了後、前記アナログ記録媒体を当該情報記録再生装置から取り出さずに再度ダビング命令が入力された場合は、前記制御部が、前記テープ状媒体を始端まで巻き戻し、前記記憶部に記憶されている記録時間を用いて、前記記録部による映像音声信号の記録時のビットレートを決定し、当該ビットレートに従って前記ダビング動作を開始する、請求の範囲４に記載の情報記録再生装置。
【請求項６】
ユーザインタフェース部をさらに備え、
前記制御部が、前記デジタル記録媒体の空き容量に対して最低のビットレートで記録した場合の記録可能時間が、前記アナログ記録媒体に記録されている映像音声信号の記録時間よりも少ない場合に、前記ユーザインタフェース部への警告表示およびダビング動作の中止の少なくとも一方を行う、請求の範囲１〜５のいずれかに記載の情報記録再生装置。
【発明の詳細な説明】
【技術分野】  本発明は、磁気テープメディアなどのアナログ記録媒体に記録されたアナログ映像音声情報を再生するアナログ再生機能と、ＤＶＤなどのデジタル記録媒体に対してデジタル映像音声情報を記録する機能とを併せ持つ情報記録再生装置に関する。特に、アナログ記録媒体から映像音声情報を再生しながら、再生した情報をデジタル記録媒体に記録する、いわゆるダビング処理を行うように構成された情報記録再生装置に関するものである。
【背景技術】  従来、例えば映画などの映像音声情報を記録するために、映像音声情報をアナログ的に記録する磁気テープ（ビデオテープ）や、映像音声情報をデジタル的に記録するＤＶＤなどが用いられている。ＤＶＤなどのデジタル記録媒体は、近年の圧縮符号化技術の発達に伴い、広く普及しつつある。磁気テープを駆動させて情報を記録／再生する装置としてはＶＣＰ（ビデオカセットプレイヤー）などがある。光ディスクを駆動させて情報を記録／再生する装置としてはＤＶＤレコーダーなどがある。
ところで、最近では、上記のようなＶＣＰとＤＶＤレコーダーが一体化した複合機が提案されている。このような複合機は、磁気テープに記録されている情報をＤＶＤにダビングすることができる機能を有している。また、ビデオテープに記録している映像記録情報をＤＶＤに移し変え、保管スペースを有効活用するという市場ニーズも向上している。
この種の複合機の従来技術として、例えば、実用新案登録第３０９２１４１号公報（特許文献１）、特開２０００−７６７３６号公報（特許文献２）、特開昭６１−２３０６９３号公報（特許文献３）、特開昭６１−２３０６９４号公報（特許文献４）に示される映像音声記録再生装置が知られている。
例えば、特許文献１に開示された従来の映像音声記録再生装置では、磁気テープの内容をＤＶＤにダビングする前に、ＤＶＤに空き領域があるか否かの確認を行う。空き領域が無い場合は、警告を発生し、空き領域を確保するようにメッセージを出力する。そして、空き領域が確保された後、磁気テープを巻き戻して高速で磁気テープを再生させることにより、録画モードが切り換わる位置と、無信号の領域と、磁気テープの種類と、コピーガード信号の有無とに関する情報を含むテープ情報を検出し、メモリに記憶させる。その後、再度巻き戻しを行い、磁気テープに記録された映像音声情報が可能な限り１枚のＤＶＤに収まるように、メモリに記憶されたテープ情報に従ってダビング時のビットレートを調整し、磁気テープの無記録領域を除く映像音声情報をＤＶＤにダビングする。
しかしながら、上述した従来の映像音声記録再生装置では、例えば１本のビデオテープに記録された情報を全て、ＤＶＤにダビングしたい時には、ビデオテープを始端まで巻き戻し、その後終端まで高速再生を行い、その後再度テープ始端まで巻き戻した後でダビング動作が開始されるため、操作者がダビング命令を出してから、実際にダビングが開始するまでの時間が長くなり、使い勝手が悪いという課題を有している。
また、上記従来の映像音声記録再生装置では、ＤＶＤの空き領域が確保された後でないとテープ情報の取得を行わず、また、ＤＶＤの空き領域にダビングしたい映像音声情報が収まるか否かの検証もしないため、例えば１本のビデオテープを１枚のＤＶＤにダビングする時に、ダビングが完了する前にＤＶＤの空き容量がなくなってしまうことがあるという課題を有している。
【発明の開示】
本発明は、上記のような課題を解決するためになされたもので、ビデオテープなどのアナログ記録媒体にアナログ映像音声情報と共に記録されているコントロール信号を利用することにより、前記アナログ映像音声情報を、できるかぎり短い時間でＤＶＤなどのデジタル記録媒体へダビングできる情報記録再生装置を提供することを目的としている。
なお、本発明に関して、「ダビング」とは、映像音声情報が記録された第１の記録媒体を再生してその再生信号を第２の記録媒体へそのままコピーする処理の他に、第１の記録媒体からの再生信号に様々な編集を行ったうえで第２の記録媒体へ記録する処理も含む。なお、上記編集とは、第１の記録媒体からの再生信号に様々な信号処理を施したり、他の情報を追加したり、第１の記録媒体の再生信号から不要な部分をカットしたりする処理等を含む。
上記の目的を達成するために、本発明にかかる情報記録再生装置は、アナログ記録媒体から映像音声信号を再生する再生部と、映像音声信号をデジタル記録媒体に記録する記録部とを備えた情報記録再生装置であって、前記アナログ記録媒体に映像音声信号と共に記録されたコントロール信号を検出するコントロール信号検出部と、前記再生部、前記記録部、および前記コントロール信号検出部の動作を制御する制御部とを備え、前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示することを特徴とする。
コントロール信号とは、アナログ記録媒体に映像音声信号と共に記録されている信号である。すなわち、アナログ記録媒体において映像音声信号が記録されていない箇所には、コントロール信号も記録されていない。コントロール信号は、例えば磁気テープ媒体の場合であれば、再生時または早送りあるいは巻き戻しの際に、コントロールヘッドにより検出できる。
上記の構成では、ダビング動作の開始後に、コントロール信号検出部が、アナログ記録媒体において、コントロール信号が記録されていない無記録領域を検出した場合、制御部が、記録部に対してデジタル記録媒体への記録を一時的に停止するよう指示する。これにより、アナログ記録媒体に記録されていた映像音声信号のみをデジタル記録媒体へ記録することができる。また、従来のように、無信号の領域に関する情報を含むテープ情報を取得するために、ダビング処理の開始前にアナログ記録媒体の始端から終端までの高速再生を行う必要がないので、アナログ記録媒体からデジタル記録媒体へのダビングをより短い時間で完了することができる。
【図面の簡単な説明】  図１は、本発明の実施の形態におけるダビング装置の構成を示すブロック図である。
図２は、同実施の形態においてビデオテープからＤＶＤへダビングされるデータの様子を示す模式図である。
図３Ａ〜３Ｄは、同実施の形態におけるビデオテープからＤＶＤへのダビングの動作を示すフローチャートである。
図４は、同実施の形態におけるビットレートの決定処理の動作を示すフローチャートである。
【発明を実施するための最良の形態】  本発明にかかる情報記録再生装置は、アナログ記録媒体から映像音声信号を再生する再生部と、映像音声信号をデジタル記録媒体に記録する記録部とを備えた情報記録再生装置であって、前記アナログ記録媒体に映像音声信号と共に記録されたコントロール信号を検出するコントロール信号検出部と、前記再生部、前記記録部、および前記コントロール信号検出部の動作を制御する制御部とを備え、前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示する構成である。
上記の構成にかかる情報記録再生装置は、前記ダビング動作中に、前記記録部が前記デジタル記録媒体への記録を一時的に停止した後、前記コントロール信号検出部により前記アナログ記録媒体において前記コントロール信号を再び検出したときは、前記記録部に対して前記デジタル記録媒体への記録を再開するよう指示することが好ましい。
この構成によれば、アナログ記録媒体における無記録部分を削除して、映像音声信号のみをデジタル記録媒体へ記録することができる。
上記の構成にかかる情報記録再生装置は、前記デジタル記録媒体の空き容量を取得する空き容量取得部をさらに備え、前記制御部が、ダビング命令が入力されると、前記アナログ記録媒体から前記コントロール信号検出部により検出されたコントロール信号に基づいて、前記アナログ記録媒体の映像音声信号の記録時間を算出し、算出された時間に相当する映像音声信号の全てを前記空き容量取得部で取得された前記デジタル記録媒体の空き容量へ記録できるように、前記記録部による映像音声信号の記録時のビットレートを決定し、当該ビットレートに従って前記ダビング動作を開始することが好ましい。
この構成によれば、アナログ記録媒体に記録されている映像音声信号の全てを、デジタル記録媒体の空き容量へ記録できる。
上記の構成にかかる情報記録再生装置は、前記アナログ記録媒体としてテープ状媒体を用いる情報記録再生装置であり、前記テープ状媒体からコントロール信号を読み取るコントロールヘッドを備え、前記制御部が、ダビング命令が入力されると、まず、終端まで前記テープ状媒体を早送りした後、前記テープ状媒体を始端まで巻き戻す間に、前記コントロールヘッドにより、テープ状媒体に記録されているコントロール信号を取得することが好ましい。
従来は、ダビング時のビットレートを決定するために、ダビング開始前に高速再生を行うことが必要であったために時間を要していたが、この構成によれば、テープ状媒体を終端から始端まで巻き戻す間に、コントロールヘッドによってコントロール信号を取得することができる。これにより、従来のようなダビング開始前の高速再生が不要となるため、アナログ記録媒体からデジタル記録媒体のダビング処理を短時間で完了することができる。
上記の構成にかかる情報記録再生装置は、前記コントロール信号に基づいて算出された、前記アナログ記録媒体に記録されている映像音声信号の記録時間を記憶する記憶部をさらに備え、前記制御部が、ダビング動作中に前記アナログ記録媒体の終端を検出したとき、ダビング動作を終了するよう前記再生部および記録部に指示し、ダビング動作の終了後、前記アナログ記録媒体を当該情報記録再生装置から取り出さずに再度ダビング命令が入力された場合は、前記制御部が、前記テープ状媒体を始端まで巻き戻し、前記記憶部に記憶されている記録時間を用いて、前記記録部による映像音声信号の記録時のビットレートを決定し、当該ビットレートに従って前記ダビング動作を開始することが好ましい。
この構成によれば、１つのアナログ記録媒体から複数のデジタル記録媒体へ連続してダビング処理を行う場合は、２回目以降のダビング処理の際は、記憶部に記憶された記録時間を用いてビットレートを決定することとなる。従って、コントロール信号を取得するための早送りおよび巻き戻しが不要となり、２回目以降のダビング処理をより短時間で完了することができる。
上記の構成にかかる情報記録再生装置は、ユーザインタフェース部をさらに備え、前記制御部が、前記デジタル記録媒体の空き容量に対して最低のビットレートで記録した場合の記録可能時間が、前記アナログ記録媒体に記録されている映像音声信号の記録時間よりも少ない場合に、前記ユーザインタフェース部への警告表示およびダビング動作の中止の少なくとも一方を行うことが好ましい。
この構成によれば、デジタル記録媒体の空き容量に対して最低のビットレートで記録した場合に記録可能な時間が、アナログ記録媒体に記録されている映像音声信号の記録時間よりも短い時に、誤ってダビングを実行することを防止でき、ダビングの信頼性が向上する。
以下に図を用いて本発明の実施の形態を具体的に説明する。
（実施の形態１）
図１は本発明の実施の形態１にかかるダビング装置（映像音声記録再生装置）の構成を示すブロック図である。
図１において、１はアナログ映像音声情報を記録再生することができる第１の記録媒体である磁気テープメディアであり、いわゆるビデオテープに相当するものである。
３は、磁気テープメディア１に記録されたアナログ映像音声情報の再生及び磁気テープメディア１の早送り及び巻き戻しを行う磁気テープメディア駆動再生部である。磁気テープメディア駆動再生部３は、磁気テープメディア１を走行制御するキャプスタンやローラ、映像音声信号の記録再生を行うヘッドを備えた回転ドラム、磁気テープメディア１に対してコントロール信号を記録したり記録されたコントロール信号を再生したりするコントロールヘッド、再生された映像音声信号の各種信号処理を行う信号処理回路などからなる（いずれも図示せず）。
２は、デジタル映像音声情報を記録再生することができる第２の記録媒体であるデジタル記録メディアである。本実施形態では、第２の記録媒体が、ＤＶＤ（Ｄｉｇｉｔａｌ  Ｖｅｒｓａｔｉｌｅ  Ｄｉｓｋ）などのように、装置に対して着脱自在で、かつ、信号がデジタル記録される円盤状の記録メディアであるものとして説明するが、第２の記録媒体は、ハードディスクなどのように装置に対して固定式の記録メディアであってもよい。
５は、デジタル記録メディア２に対して信号の書込み及び読出しを行うデジタル記録メディアアクセス部である。デジタル記録メディアアクセス部５は、デジタル記録メディア２を回転駆動するスピンドルモータや、信号の記録再生を行うレーザーダイオード及び光ピックアップなどから構成される（いずれも図示せず）。
４は、磁気テープメディア駆動再生部３によって再生されたアナログ映像音声情報をデジタル映像音声情報に変換し、デジタル記録メディアアクセス部５に出力するアナログデジタル変換部である。
１４は、ユーザインタフェース部である。ユーザインタフェース部１４は、リモコン、本体キー、ディスプレイなどの入出力デバイスと、ディスプレイ上のＧＵＩにより実現されるユーザ入出力インタフェースを含む。なお、入力インタフェースとしては、上述のリモコンや本体キーやＧＵＩ画面以外に、ユーザが入力または操作するものであれば、任意の手段を含む。さらに、出力インタフェースとしても、上述のディスプレイおよびＧＵＩ画面表示以外に、ユーザに対して通知または表示するものであれば、任意の手段を含む。
１２は、情報の記憶を行う記憶部である。
１１は、磁気テープメディア駆動再生部３において再生された信号から、磁気テープメディア１に記録されている再生コントロール信号を検出する再生コントロール信号検出部である。
１０は、磁気テープメディア駆動再生部３に対して、磁気テープメディア１の早送り及び巻き戻しを指示する磁気テープメディア駆動部である。具体的には、磁気テープメディア駆動再生部３がＶＴＲである場合は、磁気テープメディア駆動部１０は、キャプスタンやリールの駆動などを行う。
９は、磁気テープメディア駆動再生部３において再生された信号から、磁気テープメディア１の始端と終端の位置を検出する始終端検出部である。
８は、磁気テープメディア駆動再生部３に対して磁気テープメディア１の再生処理を指示する磁気テープメディア再生部である。
７は、アナログデジタル変換部４およびデジタル記録メディアアクセス部５を制御して、アナログデジタル変換部４でデジタル情報に変換された映像音声情報を、デジタル記録メディア２へ記録させるデジタル記録部である。デジタル記録部７は、アナログデジタル変換部４が磁気テープメディア駆動再生部３からのアナログ映像音声情報をデジタル映像音声情報へ変換する際のビットレートを、制御部１５からの指示に従って調節する。
６は、デジタル記録メディア２の空き容量を読み出すようにデジタル記録メディアアクセス部５へ指示するデジタル記録メディア空き容量取得部である。
１３は、デジタル記録メディア２の空き容量に対して最低のビットレートで記録した場合の記録可能時間が磁気テープメディア１の記録時間よりも少ない場合に、ユーザインタフェース部１４に警告通知を行わせる警告発生部である。警告発生部１３は、例えば、上記の場合、ユーザインタフェース部１４に、ダビングの中止を行うよう、使用者への警告表示などを行わせる。
１５は、本実施形態のダビング装置全体の動作を制御する制御部である。制御部１５は、例えば、ユーザインタフェース部１４を介してユーザからダビング実行指示の入力を受けると、磁気テープメディア駆動部１０、始終端検出部９、再生コントロール検出部１１、記憶部１２、デジタル記録メディア空き容量取得部６、デジタル記録部７、磁気テープメディア再生部８、および、警告発生部１３を制御することにより、ダビング操作を実行する。
上記の様に構成された本実施形態のダビング装置は、簡単なユーザ操作で、例えばビデオテープなどの磁気テープメディア一本に記録されたアナログ映像音声情報の記録部分全てを、例えばＤＶＤなどのデジタル記録メディア１枚に、より短い時間でダビングすることができる。
また、本実施形態のダビング装置は、例えばＤＶＤなどのデジタル記録メディアの空き容量に対して最低のビットレートで記録した場合の記録可能時間が、例えばＶＨＳなどの磁気テープメディアに記録されている映像音声情報の時間よりも短い場合は、誤ってダビング実行を行わないよう構成されている。
また、本実施形態のダビング装置は、例えばビデオテープなどの磁気テープメディアに記録されているアナログ映像音声記録情報を、例えばＤＶＤなどのデジタル記録メディアの複数枚に連続してダビングを行うときに、より短い時間でダビングを完了できる。
以下、以上のように構成された本実施形態にかかるダビング装置において、ビデオテープからＤＶＤへダビングする場合の動作を、図１と図２を用いて説明する。
図２において、Ｍ１は、ダビング元となるビデオテープメディアである。Ｔ１は、ビデオテープメディアＭ１を始端から終端まで再生するために必要な時間であるテープ総再生時間である。ＰＧ１は、ビデオテープメディアＭ１に記録されている１つ目の番組である。ＰＧ２は、ビデオテープメディアＭ１に記録されている２つ目の番組である。ＰＧ３は、ビデオテープメディアＭ１に記録されている３つ目の番組である。Ｂ１は、番組ＰＧ１と番組ＰＧ２との間の無記録部である。Ｂ２は、番組ＰＧ２と番組ＰＧ３との間の無記録部である。すなわち、ビデオテープメディアＭ１は、番組ＰＧ１、番組ＰＧ２、および番組ＰＧ３が記録された部分と、無記録部Ｂ１および無記録部Ｂ２とを含む。図２に示すＴ２は、番組ＰＧ１と番組ＰＧ２と番組ＰＧ３とを連続して再生する時に必要とされる時間（総記録時間）である。Ｍ２は、ダビング先となるＤＶＤメディアのダビング前の状態を示す。ＲＡは、ＤＶＤメディアＭ２の全記憶領域（ＤＶＤ全領域）である。Ｒ１は、ダビング前のＤＶＤメディアＭ２において既に映像音声情報が記録されている既記録領域である。Ｒ２は、ダビング前のＤＶＤメディアＭ２で情報が記録されていない空き領域である。Ｍ３は、空き領域Ｒ２に対して番組ＰＧ１と番組ＰＧ２と番組ＰＧ３とが収まるようにビットレートを調整してダビングが行われた後のＤＶＤメディアを表す。
制御部１５は、ユーザインタフェース部１４を介してユーザからダビング実行指示が入力された時、磁気テープメディア駆動部１０と始終端検出部９を用いて、終端まで磁気テープメディア１を早送りし、その後、始端まで磁気テープメディア１を巻き戻しながら、再生コントロール検出部１１を用いて磁気テープメディア１に記録されている再生コントロール信号の数を取得する。制御部１５は、取得した再生コントロール信号の数に基づいて総記録時間Ｔ２を算出し、記憶部１２に算出結果を記録する。
再生コントロール信号とは、磁気テープメディア１にアナログ映像音声情報を記録する際に一緒に記録される信号である。アナログ映像音声情報が記録されていない部分（例えば図２の未記録部Ｂ１，Ｂ２）には、再生コントロール信号は存在しない。例えば、ＶＨＳの磁気テープメディアにＮＴＳＣのアナログ映像音声情報を記録する場合、このアナログ映像音声情報と共に、１秒間に３０パルスの矩形信号が再生コントロール信号として記録される。再生コントロール信号は、磁気テープメディア１の再生時あるいは早送りまたは巻き戻しの際に、コントロールヘッドにより読みとることができる。上述のように、再生コントロール信号は、アナログ映像音声情報が記録されている部分に等間隔に記録されているため、再生コントロール信号の間隔をｔ、磁気テープメディア１を終端から始端まで巻き戻す間に読みとられる再生コントロール信号の数をｎとすると、磁気テープメディア１に記録されているアナログ映像音声情報の総記録時間Ｔ２は、およそｔ×（ｎ−１）として求められる。
制御部１５は、さらに、デジタル記録メディア空き容量取得部６を用いて、デジタル記録メディア２の空き容量Ｒ２を取得し、空き容量Ｒ２に対して、記憶部１２に記憶された総記録時間Ｔ２に相当する映像音声情報が収まるように、デジタル記録メディア２への記録時のビットレートを決定する。そして、制御部１５は、その決定されたビットレートで、デジタル記録メディア２への記録と磁気テープメディア１の再生が同時に行われるように、デジタル記録部７と磁気テープメディア再生部８に指令を出し、ダビングを開始する。すなわち、磁気テープメディア再生部８により磁気テープメディア１からアナログ映像音声情報を再生しながら、再生したアナログ映像音声情報を、デジタル記録部７の指示により、アナログデジタル変換部４を用いて、上述のとおり決定されたビットレートでデジタル映像音声情報に変換し、デジタル記録メディアアクセス部５を用いてデジタル記録メディア２へ記録する。
なお、ダビング中に、再生コントロール信号検出部１１により、磁気テープメディア１から再生中の情報に再生コントロール信号が無いと検出された時は、制御部１５は、デジタル記録部７に対して、デジタル記録メディア２への記録を一時停止するよう指令する。その後、再生コントロール信号が再び検出された時、制御部１５は、デジタル記録部７に対して、デジタル記録メディア２への記録を再開するよう指令する。これにより、例えば、番組ＰＧ１をデジタル記録メディア２へ記録した後、未記録部Ｂ１の再生中はデジタル記録メディア２への記録が一時停止され、番組ＰＧ２の再生が開始されたところで、デジタル記録メディア２への記録が再開されることとなる。
以上の処理によれば、ダビング後のＤＶＤメディア３では、空き領域Ｒ２に対して、番組ＰＧ１と番組ＰＧ２と番組ＰＧ３が収まるようにビットレートが調整されてダビングされており、かつ、番組間の未記録部Ｂ１，Ｂ２はカットされた状態となっている。
また、制御部１５は、デジタル記録メディア２の空き容量Ｒ２に対して最低のビットレートで記録した場合の記録可能時間が、磁気テープメディア１の総記録時間Ｔ２よりも短い場合は、ユーザインタフェース部１４に警告表示を行い、ダビングを中止することのできる機能を有している。その機能を用いることで、最低のビットレートで記録したとしても磁気テープメディア１の映像音声情報の全てを記録できるだけの空き容量がデジタル記録メディア２にない場合に、誤ってダビングを実行することを未然に防ぐことができる。
また、制御部１５は、ダビング中に始終端検出部１１により終端が検出された時、ダビングを終了するように磁気テープメディア再生部８とデジタル記録部７に指示する。
なお、ユーザは、１本の磁気テープメディア１に記録されているアナログ映像音声情報を、複数のデジタル記録メディア２へダビングしたい場合がある。そのような場合、ユーザは、１回のダビングが終了すると、通常、磁気テープメディア１を取り出さずに、デジタル記録メディア２のみを新しいメディアに入れ替えて、再度、ユーザインタフェース部１４を介してダビング実行指示の入力を行う。この場合は、制御部１５は、磁気テープメディア駆動部１０と始終端検出部９を用いて、磁気テープメディア１を始端まで巻き戻す。そして、巻き戻しが完了すると、制御部１５は、デジタル記録メディア空き容量取得部６を用いて、新たに装着されたデジタル記録メディア２の空き容量Ｒ２を取得する。次に、制御部１５は、ここで取得した空き容量Ｒ２と、１回目のダビング時に記録部１２に記憶した総記録時間Ｔ２とを用いて、デジタル記録メディア２への記録時のビットレートを決定し、決定したビットレートに従ってダビングを開始する。すなわち、同一の磁気テープメディア１から複数のデジタル記録メディア２へ連続してダビングを行う場合は、２回目以降のダビング時は、磁気テープメディア１の総記録時間Ｔ２を求めるための早送り及び巻き戻しは省略され、総記録時間Ｔ２として、１回目のダビング時に記録部１２に記憶された値が用いられる。このように、同一の磁気テープメディア１から複数のデジタル記録メディア２へ連続してダビングを行う場合、２回目以降のダビング時に総記録時間Ｔ２を求めるための早送り及び巻き戻しを省略することで、ダビングをより短い時間で完了させることができる。
次に、図３Ａ〜３Ｄに示すフローチャートを用いて、本実施形態にかかるダビング装置において、磁気テープメディア１からデジタル記録メディア２にダビングする手順を説明する。なお、本実施形態における磁気テープメディアは一例としてビデオテープであり、デジタル記録メディアはＤＶＤとする。
ＳＡは、ダビング実行指示が入力されたときに実行される自動ダビング処理である。ＳＢは、テープが走行している時に再生コントロール信号が検出された時に実行される再生コントロール信号検出処理である。
再生コントロール信号検出処理ＳＢでは、ビデオテープを挿入して初めてのダビング操作における巻き戻しで再生コントロール信号が検出された時は、次にＳ２１の処理を行い、そうでない時は再生コントロール信号検出処理ＳＢを終了する（Ｓ２０）。
Ｓ２１では、再生コントロールバッファの格納値に１を加算して、再生コントロール信号検出処理ＳＢを終了する。なお、再生コントロールバッファは、検出された再生コントロール信号の数を格納するバッファであり、記憶部１２に設けられる。
自動ダビング処理ＳＡでは、まず、ビデオテープが挿入されて初めてのダビング操作の時は、次にＳ１へ進み、ビデオテープの早送り処理を行う。そうでない場合は後述のＳ５へ進む（Ｓ０）。
Ｓ１でビデオテープの早送り処理を行った後は、終端が検知されるのを持つ（Ｓ２）。終端が検知されたら、ビデオテープの走行を停止させ（Ｓ３）、再生コントロールバッファを０に初期化する（Ｓ４）。
次に、ビデオテープの巻き戻しを行い（Ｓ５）、ビデオテープの始端が検出されるのを待つ（Ｓ６）。この巻き戻しの間に、再生コントロール信号が検出される都度、再生コントロール信号検出処理ＳＢが実行される。ビデオテープの始端が検知されたら、ビデオテープの走行を停止させ（Ｓ７）、巻き戻しの間に再生コントロール信号検出処理ＳＢにより加算された再生コントロールバッファの格納値から、ビデオテープの総記録時間を算出し、算出された値を、ビデオテープ総記録時間バッファに記憶させる（Ｓ８）。ビデオテープ総記録時間バッファも記憶部１２に設けられる。なお、この時、ビデオテープが挿入されたままの２回目以降のダビング操作の場合は、前回のダビングで使われた、再生コントロールバッファおよびビデオテープ総記録時間バッファの値を再利用することになる。
次に、ＤＶＤの空き容量を取得し（Ｓ９）、空き容量に対して最低のビットレートで記録した場合の記録可能時間が、ビデオテープ総記録時間バッファの値が表す時間よりも短い場合、ダビング不可と判断し、Ｓ１８へ進む。そうでなかった場合は、ダビング可能と判断し、Ｓ１１へ進む（Ｓ１０）。
Ｓ１０にてダビング不可と判断された場合は、警告の表示を行い（Ｓ１８）、自動ダビング処理ＳＡを終了する。
また、Ｓ１０にてダビング可能と判断された場合は、ビデオテープ総記録時間バッファの値が表す時間に相当する映像音声情報がＤＶＤの空き容量に対して収まるように、デジタル記録メディア２への記録時のビットレートを算出し、算出した値をビットレートバッファに格納する（Ｓ１１）。ビットレートバッファも記憶部１２に設けられる。次に、ビデオテープの再生と、再生したデータの、ビットレートバッファの値に従ったビットレートでのＤＶＤへの記録とを開始し（Ｓ１２）、ビデオテープが終端まで到達するのを待つ（Ｓ１３）。
その間、ビデオテープの再生中の区間に再生コントロール信号が有る間は、Ｓ１６の処理を行い、そうでない時はＳ１５の処理を行う（Ｓ１４）。
Ｓ１６では（再生コントロール信号がある場合）、ＤＶＤの録画処理を行う。Ｓ１５では（再生コントロールがない場合）、ＤＶＤ録画を一時停止させる。
Ｓ１３にてビデオテープの終端が検出されると、ビデオテープを停止し、ＤＶＤを停止させ（Ｓ１７）、自動ダビング処理ＳＡを終了する。
ここで、Ｓ１１におけるビットレートの調整処理について、図４を参照しながら説明する。
制御部１５は、まず、再生コントロール信号検出処理ＳＢで検出されたコントロール信号の数に基づき、ビデオテープの録画時間（Ａ）を算出する（Ｓ１１１）。ここで、例えば、Ａ＝３６００秒であるものとする。
制御部１５は、次に、Ｓ９で取得されたＤＶＤ空き容量を、ＳＰモードで記録可能な秒数（Ｃ）に変換する（Ｓ１１２）。なお、ＳＰモードとは、ＤＶＤの片面に約２時間のコンテンツがちょうど収まるようなビットレートでの記録モードである。Ｓ９で取得されるＤＶＤ空き容量は（Ｂ）は、一般的に、空いているセクタ数から求められるが、ＶＢＲ余裕量を考慮した値が求められる。ここで、例えば、Ｃ＝１８００秒であったものとする。
次に、制御部１５は、レート（Ｄ）とＦＲモードでのビットレート（Ｅ）とを計算する（Ｓ１１３）。ＦＲモードとは、フレキシブルレコーディングモードを意味し、ディスクの空き容量に合わせて可能な限り最高のビットレートで記録するモードである。レートＤは、空き容量から換算された秒数Ｃを録画時間Ａで割ることから求められる。次に、制御部１５は、求められたレートＤにＳＰモードでのビットレート（ＳＰｂ）を乗ずることにより、ＦＲモードでのビットレートＥを求める。上記の例では、Ｄ＝Ｃ／Ａ＝１８００／３６００＝０．５となり、Ｅ＝Ｄ×ＳＰｂ＝０．５×ＳＰｂとなる。従って、この場合は、ＳＰモードでのビットレートの半分のビットレートにより、ＤＶＤへの記録を行うこととなる。
なお、Ｓ１１３の後に、Ｓ１１３で求められたＦＲモードでのビットレートＥが、ＸＰモードからＥＰモードまでのビットレートの範囲に収まるかチェックするようにしても良い。ＤＶＤの場合、ＸＰモードからＥＰモードまでの間には、ＸＰモード、ＳＰモード、ＬＰモード、およびＥＰモードの４段階のモードがある。ＸＰモードとは、ＤＶＤの片面に約１時間のコンテンツが収まるようなビットレートで記録するモードである。ＬＰモードは、ＤＶＤの片面に約４時間のコンテンツが収まるようなビットレートで記録するモードである。ＥＰモードは、ＤＶＤの片面に約６時間のコンテンツが収まるようなビットレートで記録するモードである。すなわち、ＸＰモードでのビットレートが一番高く、ＥＰモードでのビットレートが一番小さい。従って、Ｓ１１３で求められたビットレートＥがＸＰモードでのビットレートより大きい場合は、ＸＰモードのビットレートでＤＶＤへの記録を行うようにしても良い。Ｓ１１３で求められたビットレートＥがＥＰモードでのビットレートより小さい場合は、ＥＰモードのビットレートでＤＶＤへの記録を行うようにしても良い。
上記にて説明したように、本実施形態にかかるダビング装置によれば、簡単なユーザ操作で、例えばビデオテープなどの磁気テープメディア一本に記録されるアナログ映像音声情報の記録部分全てを、例えばＤＶＤなどのデジタル記録メディア一枚に、より短い時間でダビングを行うことができる。また、例えばＤＶＤなどのデジタル記録メディアの空き容量に対して、最低のビットレートで記録した場合の記録可能時間が、例えばＶＨＳなどの磁気テープメディアに記録されている映像音声情報の時間よりも短い時に、誤ってダビングの実行を行わずに済む。また、例えばビデオテープなどの磁気テープメディアに記録されているアナログ映像音声情報を、例えばＤＶＤなどのデジタル記録メディアの複数枚に連続してダビングを行うときに、より短い時間で行うことができる。
なお、上記説明では、アナログ記録媒体がビデオテープであり、デジタル記録媒体がＤＶＤである場合について主に説明したが、アナログ記録媒体はビデオテープに限定されず、デジタル記録媒体もＤＶＤに限定されない。
【産業上の利用可能性】  本発明は、アナログ記録媒体に記録された映像音声情報をデジタル記録媒体へ短時間でダビングする情報記録再生装置として有用である。
【図１】
2005027132.tif 000003
【図２】
2005027132.tif 000004
2005027132.tif 000005
2005027132.tif 000006
2005027132.tif 000007
2005027132.tif 000008
【図４】
2005027132.tif 000009
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
アナログ記録媒体から映像音声信号を再生する再生部と、映像音声信号をデジタル記録媒体に記録する記録部とを備えた情報記録再生装置であって、
前記アナログ記録媒体に映像音声信号と共に記録されたコントロール信号を検出するコントロール信号検出部と、
前記再生部、前記記録部、および前記コントロール信号検出部の動作を制御する制御部とを備え、
前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示することを特徴とする情報記録再生装置。
【請求項２】
前記ダビング動作中に、前記記録部が前記デジタル記録媒体への記録を一時的に停止した後、前記コントロール信号検出部により前記アナログ記録媒体において前記コントロール信号を再び検出したときは、前記記録部に対して前記デジタル記録媒体への記録を再開するよう指示する、請求項１に記載の情報記録再生装置。
【請求項３】
前記デジタル記録媒体の空き容量を取得する空き容量取得部をさらに備え、
前記制御部が、ダビング命令が入力されると、前記アナログ記録媒体から前記コントロール信号検出部により検出されたコントロール信号に基づいて、前記アナログ記録媒体の映像音声信号の記録時間を算出し、算出された時間に相当する映像音声信号の全てを前記空き容量取得部で取得された前記デジタル記録媒体の空き容量へ記録できるように、前記記録部による映像音声信号の記録時のビットレートを決定し、当該ビットレートに従って前記ダビング動作を開始する、請求項１または２に記載の情報記録再生装置。
【請求項４】
前記アナログ記録媒体としてテープ状媒体を用いる情報記録再生装置であり、
前記テープ状媒体からコントロール信号を読み取るコントロールヘッドを備え、
前記制御部が、ダビング命令が入力されると、まず、終端まで前記テープ状媒体を早送りした後、前記テープ状媒体を始端まで巻き戻す間に、前記コントロールヘッドにより、テープ状媒体に記録されているコントロール信号を取得する、請求項３に記載の情報記録再生装置。
【請求項５】
前記コントロール信号に基づいて算出された、前記アナログ記録媒体に記録されている映像音声信号の記録時間を記憶する記憶部をさらに備え、
前記制御部が、ダビング動作中に前記アナログ記録媒体の終端を検出したとき、ダビング動作を終了するよう前記再生部および記録部に指示し、
ダビング動作の終了後、前記アナログ記録媒体を当該情報記録再生装置から取り出さずに再度ダビング命令が入力された場合は、前記制御部が、前記テープ状媒体を始端まで巻き戻し、前記記憶部に記憶されている記録時間を用いて、前記記録部による映像音声信号の記録時のビットレートを決定し、当該ビットレートに従って前記ダビング動作を開始する、請求項４に記載の情報記録再生装置。
【請求項６】
ユーザインタフェース部をさらに備え、
前記制御部が、前記デジタル記録媒体の空き容量に対して最低のビットレートで記録した場合の記録可能時間が、前記アナログ記録媒体に記録されている映像音声信号の記録時間よりも少ない場合に、前記ユーザインタフェース部への警告表示およびダビング動作の中止の少なくとも一方を行う、請求項１〜５のいずれかに記載の情報記録再生装置。
【手続補正２】
【補正対象書類名】明細書
【補正対象項目名】全文
【補正方法】変更
【補正の内容】
【発明の詳細な説明】
【技術分野】
【０００１】
本発明は、磁気テープメディアなどのアナログ記録媒体に記録されたアナログ映像音声情報を再生するアナログ再生機能と、ＤＶＤなどのデジタル記録媒体に対してデジタル映像音声情報を記録する機能とを併せ持つ情報記録再生装置に関する。特に、アナログ記録媒体から映像音声情報を再生しながら、再生した情報をデジタル記録媒体に記録する、いわゆるダビング処理を行うように構成された情報記録再生装置に関するものである。
【背景技術】
【０００２】
従来、例えば映画などの映像音声情報を記録するために、映像音声情報をアナログ的に記録する磁気テープ（ビデオテープ）や、映像音声情報をデジタル的に記録するＤＶＤなどが用いられている。ＤＶＤなどのデジタル記録媒体は、近年の圧縮符号化技術の発達に伴い、広く普及しつつある。磁気テープを駆動させて情報を記録／再生する装置としてはＶＣＰ（ビデオカセットプレイヤー）などがある。光ディスクを駆動させて情報を記録／再生する装置としてはＤＶＤレコーダーなどがある。
【０００３】
ところで、最近では、上記のようなＶＣＰとＤＶＤレコーダーが一体化した複合機が提案されている。このような複合機は、磁気テープに記録されている情報をＤＶＤにダビングすることができる機能を有している。また、ビデオテープに記録している映像記録情報をＤＶＤに移し変え、保管スペースを有効活用するという市場ニーズも向上している。
【０００４】
この種の複合機の従来技術として、例えば、実用新案登録第３０９２１４１号公報（特許文献１）、特開２０００−７６７３６号公報（特許文献２）、特開昭６１−２３０６９３号公報（特許文献３）、特開昭６１−２３０６９４号公報（特許文献４）に示される映像音声記録再生装置が知られている。
【０００５】
例えば、特許文献１に開示された従来の映像音声記録再生装置では、磁気テープの内容をＤＶＤにダビングする前に、ＤＶＤに空き領域があるか否かの確認を行う。空き領域が無い場合は、警告を発生し、空き領域を確保するようにメッセージを出力する。そして、空き領域が確保された後、磁気テープを巻き戻して高速で磁気テープを再生させることにより、録画モードが切り換わる位置と、無信号の領域と、磁気テープの種類と、コピーガード信号の有無とに関する情報を含むテープ情報を検出し、メモリに記憶させる。その後、再度巻き戻しを行い、磁気テープに記録された映像音声情報が可能な限り１枚のＤＶＤに収まるように、メモリに記憶されたテープ情報に従ってダビング時のビットレートを調整し、磁気テープの無記録領域を除く映像音声情報をＤＶＤにダビングする。
【特許文献１】実用新案登録第３０９２１４１号公報
【特許文献２】特開２０００−７６７３６号公報
【特許文献３】特開昭６１−２３０６９３号公報
【特許文献４】特開昭６１−２３０６９４号公報
【発明の開示】
【発明が解決しようとする課題】
【０００６】
しかしながら、上述した従来の映像音声記録再生装置では、例えば１本のビデオテープに記録された情報を全て、ＤＶＤにダビングしたい時には、ビデオテープを始端まで巻き戻し、その後終端まで高速再生を行い、その後再度テープ始端まで巻き戻した後でダビング動作が開始されるため、操作者がダビング命令を出してから、実際にダビングが開始するまでの時間が長くなり、使い勝手が悪いという課題を有している。
【０００７】
また、上記従来の映像音声記録再生装置では、ＤＶＤの空き領域が確保された後でないとテープ情報の取得を行わず、また、ＤＶＤの空き領域にダビングしたい映像音声情報が収まるか否かの検証もしないため、例えば１本のビデオテープを１枚のＤＶＤにダビングする時に、ダビングが完了する前にＤＶＤの空き容量がなくなってしまうことがあるという課題を有している。
【０００８】
本発明は、上記のような課題を解決するためになされたもので、ビデオテープなどのアナログ記録媒体にアナログ映像音声情報と共に記録されているコントロール信号を利用することにより、前記アナログ映像音声情報を、できるかぎり短い時間でＤＶＤなどのデジタル記録媒体へダビングできる情報記録再生装置を提供することを目的としている。
【０００９】
なお、本発明に関して、「ダビング」とは、映像音声情報が記録された第１の記録媒体を再生してその再生信号を第２の記録媒体へそのままコピーする処理の他に、第１の記録媒体からの再生信号に様々な編集を行ったうえで第２の記録媒体へ記録する処理も含む。なお、上記編集とは、第１の記録媒体からの再生信号に様々な信号処理を施したり、他の情報を追加したり、第１の記録媒体の再生信号から不要な部分をカットしたりする処理等を含む。
【課題を解決するための手段】
【００１０】
上記の目的を達成するために、本発明にかかる情報記録再生装置は、アナログ記録媒体から映像音声信号を再生する再生部と、映像音声信号をデジタル記録媒体に記録する記録部とを備えた情報記録再生装置であって、前記アナログ記録媒体に映像音声信号と共に記録されたコントロール信号を検出するコントロール信号検出部と、前記再生部、前記記録部、および前記コントロール信号検出部の動作を制御する制御部とを備え、前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示することを特徴とする。
【００１１】
コントロール信号とは、アナログ記録媒体に映像音声信号と共に記録されている信号である。すなわち、アナログ記録媒体において映像音声信号が記録されていない箇所には、コントロール信号も記録されていない。コントロール信号は、例えば磁気テープ媒体の場合であれば、再生時または早送りあるいは巻き戻しの際に、コントロールヘッドにより検出できる。
【００１２】
上記の構成では、ダビング動作の開始後に、コントロール信号検出部が、アナログ記録媒体において、コントロール信号が記録されていない無記録領域を検出した場合、制御部が、記録部に対してデジタル記録媒体への記録を一時的に停止するよう指示する。これにより、アナログ記録媒体に記録されていた映像音声信号のみをデジタル記録媒体へ記録することができる。また、従来のように、無信号の領域に関する情報を含むテープ情報を取得するために、ダビング処理の開始前にアナログ記録媒体の始端から終端までの高速再生を行う必要がないので、アナログ記録媒体からデジタル記録媒体へのダビングをより短い時間で完了することができる。
【発明を実施するための最良の形態】
【００１３】
本発明にかかる情報記録再生装置は、アナログ記録媒体から映像音声信号を再生する再生部と、映像音声信号をデジタル記録媒体に記録する記録部とを備えた情報記録再生装置であって、前記アナログ記録媒体に映像音声信号と共に記録されたコントロール信号を検出するコントロール信号検出部と、前記再生部、前記記録部、および前記コントロール信号検出部の動作を制御する制御部とを備え、前記制御部が、ダビング命令が入力されると、前記再生部により再生された映像音声信号を前記記録部により前記デジタル記録媒体に記録するダビング動作を開始し、前記ダビング動作中に、前記コントロール信号検出部により、前記アナログ記録媒体において前記コントロール信号が記録されていない無記録領域を検出したときは、前記記録部に対して前記デジタル記録媒体への記録を一時的に停止するよう指示する構成である。
【００１４】
上記の構成にかかる情報記録再生装置は、前記ダビング動作中に、前記記録部が前記デジタル記録媒体への記録を一時的に停止した後、前記コントロール信号検出部により前記アナログ記録媒体において前記コントロール信号を再び検出したときは、前記記録部に対して前記デジタル記録媒体への記録を再開するよう指示することが好ましい。
【００１５】
この構成によれば、アナログ記録媒体における無記録部分を削除して、映像音声信号のみをデジタル記録媒体へ記録することができる。
【００１６】
上記の構成にかかる情報記録再生装置は、前記デジタル記録媒体の空き容量を取得する空き容量取得部をさらに備え、前記制御部が、ダビング命令が入力されると、前記アナログ記録媒体から前記コントロール信号検出部により検出されたコントロール信号に基づいて、前記アナログ記録媒体の映像音声信号の記録時間を算出し、算出された時間に相当する映像音声信号の全てを前記空き容量取得部で取得された前記デジタル記録媒体の空き容量へ記録できるように、前記記録部による映像音声信号の記録時のビットレートを決定し、当該ビットレートに従って前記ダビング動作を開始することが好ましい。
【００１７】
この構成によれば、アナログ記録媒体に記録されている映像音声信号の全てを、デジタル記録媒体の空き容量へ記録できる。
【００１８】
上記の構成にかかる情報記録再生装置は、前記アナログ記録媒体としてテープ状媒体を用いる情報記録再生装置であり、前記テープ状媒体からコントロール信号を読み取るコントロールヘッドを備え、前記制御部が、ダビング命令が入力されると、まず、終端まで前記テープ状媒体を早送りした後、前記テープ状媒体を始端まで巻き戻す間に、前記コントロールヘッドにより、テープ状媒体に記録されているコントロール信号を取得することが好ましい。
【００１９】
従来は、ダビング時のビットレートを決定するために、ダビング開始前に高速再生を行うことが必要であったために時間を要していたが、この構成によれば、テープ状媒体を終端から始端まで巻き戻す間に、コントロールヘッドによってコントロール信号を取得することができる。これにより、従来のようなダビング開始前の高速再生が不要となるため、アナログ記録媒体からデジタル記録媒体のダビング処理を短時間で完了することができる。
【００２０】
上記の構成にかかる情報記録再生装置は、前記コントロール信号に基づいて算出された、前記アナログ記録媒体に記録されている映像音声信号の記録時間を記憶する記憶部をさらに備え、前記制御部が、ダビング動作中に前記アナログ記録媒体の終端を検出したとき、ダビング動作を終了するよう前記再生部および記録部に指示し、ダビング動作の終了後、前記アナログ記録媒体を当該情報記録再生装置から取り出さずに再度ダビング命令が入力された場合は、前記制御部が、前記テープ状媒体を始端まで巻き戻し、前記記憶部に記憶されている記録時間を用いて、前記記録部による映像音声信号の記録時のビットレートを決定し、当該ビットレートに従って前記ダビング動作を開始することが好ましい。
【００２１】
この構成によれば、１つのアナログ記録媒体から複数のデジタル記録媒体へ連続してダビング処理を行う場合は、２回目以降のダビング処理の際は、記憶部に記憶された記録時間を用いてビットレートを決定することとなる。従って、コントロール信号を取得するための早送りおよび巻き戻しが不要となり、２回目以降のダビング処理をより短時間で完了することができる。
【００２２】
上記の構成にかかる情報記録再生装置は、ユーザインタフェース部をさらに備え、前記制御部が、前記デジタル記録媒体の空き容量に対して最低のビットレートで記録した場合の記録可能時間が、前記アナログ記録媒体に記録されている映像音声信号の記録時間よりも少ない場合に、前記ユーザインタフェース部への警告表示およびダビング動作の中止の少なくとも一方を行うことが好ましい。
【００２３】
この構成によれば、デジタル記録媒体の空き容量に対して最低のビットレートで記録した場合に記録可能な時間が、アナログ記録媒体に記録されている映像音声信号の記録時間よりも短い時に、誤ってダビングを実行することを防止でき、ダビングの信頼性が向上する。
【００２４】
以下に図を用いて本発明の実施の形態を具体的に説明する。
【００２５】
（実施の形態１）
図１は本発明の実施の形態１にかかるダビング装置（映像音声記録再生装置）の構成を示すブロック図である。
【００２６】
図１において、１はアナログ映像音声情報を記録再生することができる第１の記録媒体である磁気テープメディアであり、いわゆるビデオテープに相当するものである。
【００２７】
３は、磁気テープメディア１に記録されたアナログ映像音声情報の再生及び磁気テープメディア１の早送り及び巻き戻しを行う磁気テープメディア駆動再生部である。磁気テープメディア駆動再生部３は、磁気テープメディア１を走行制御するキャプスタンやローラ、映像音声信号の記録再生を行うヘッドを備えた回転ドラム、磁気テープメディア１に対してコントロール信号を記録したり記録されたコントロール信号を再生したりするコントロールヘッド、再生された映像音声信号の各種信号処理を行う信号処理回路などからなる（いずれも図示せず）。
【００２８】
２は、デジタル映像音声情報を記録再生することができる第２の記録媒体であるデジタル記録メディアである。本実施形態では、第２の記録媒体が、ＤＶＤ（Ｄｉｇｉｔａｌ  Ｖｅｒｓａｔｉｌｅ  Ｄｉｓｋ）などのように、装置に対して着脱自在で、かつ、信号がデジタル記録される円盤状の記録メディアであるものとして説明するが、第２の記録媒体は、ハードディスクなどのように装置に対して固定式の記録メディアであってもよい。
【００２９】
５は、デジタル記録メディア２に対して信号の書込み及び読出しを行うデジタル記録メディアアクセス部である。デジタル記録メディアアクセス部５は、デジタル記録メディア２を回転駆動するスピンドルモータや、信号の記録再生を行うレーザーダイオード及び光ピックアップなどから構成される（いずれも図示せず）。
【００３０】
４は、磁気テープメディア駆動再生部３によって再生されたアナログ映像音声情報をデジタル映像音声情報に変換し、デジタル記録メディアアクセス部５に出力するアナログデジタル変換部である。
【００３１】
１４は、ユーザインタフェース部である。ユーザインタフェース部１４は、リモコン、本体キー、ディスプレイなどの入出力デバイスと、ディスプレイ上のＧＵＩにより実現されるユーザ入出力インタフェースを含む。なお、入力インタフェースとしては、上述のリモコンや本体キーやＧＵＩ画面以外に、ユーザが入力または操作するものであれば、任意の手段を含む。さらに、出力インタフェースとしても、上述のディスプレイおよびＧＵＩ画面表示以外に、ユーザに対して通知または表示するものであれば、任意の手段を含む。
【００３２】
１２は、情報の記憶を行う記憶部である。
【００３３】
１１は、磁気テープメディア駆動再生部３において再生された信号から、磁気テープメディア１に記録されている再生コントロール信号を検出する再生コントロール信号検出部である。
【００３４】
１０は、磁気テープメディア駆動再生部３に対して、磁気テープメディア１の早送り及び巻き戻しを指示する磁気テープメディア駆動部である。具体的には、磁気テープメディア駆動再生部３がＶＴＲである場合は、磁気テープメディア駆動部１０は、キャプスタンやリールの駆動などを行う。
【００３５】
９は、磁気テープメディア駆動再生部３において再生された信号から、磁気テープメディア１の始端と終端の位置を検出する始終端検出部である。
【００３６】
８は、磁気テープメディア駆動再生部３に対して磁気テープメディア１の再生処理を指示する磁気テープメディア再生部である。
【００３７】
７は、アナログデジタル変換部４およびデジタル記録メディアアクセス部５を制御して、アナログデジタル変換部４でデジタル情報に変換された映像音声情報を、デジタル記録メディア２へ記録させるデジタル記録部である。デジタル記録部７は、アナログデジタル変換部４が磁気テープメディア駆動再生部３からのアナログ映像音声情報をデジタル映像音声情報へ変換する際のビットレートを、制御部１５からの指示に従って調節する。
【００３８】
６は、デジタル記録メディア２の空き容量を読み出すようにデジタル記録メディアアクセス部５へ指示するデジタル記録メディア空き容量取得部である。
【００３９】
１３は、デジタル記録メディア２の空き容量に対して最低のビットレートで記録した場合の記録可能時間が磁気テープメディア１の記録時間よりも少ない場合に、ユーザインタフェース部１４に警告通知を行わせる警告発生部である。警告発生部１３は、例えば、上記の場合、ユーザインタフェース部１４に、ダビングの中止を行うよう、使用者への警告表示などを行わせる。
【００４０】
１５は、本実施形態のダビング装置全体の動作を制御する制御部である。制御部１５は、例えば、ユーザインタフェース部１４を介してユーザからダビング実行指示の入力を受けると、磁気テープメディア駆動部１０、始終端検出部９、再生コントロール検出部１１、記憶部１２、デジタル記録メディア空き容量取得部６、デジタル記録部７、磁気テープメディア再生部８、および、警告発生部１３を制御することにより、ダビング操作を実行する。
【００４１】
上記の様に構成された本実施形態のダビング装置は、簡単なユーザ操作で、例えばビデオテープなどの磁気テープメディア一本に記録されたアナログ映像音声情報の記録部分全てを、例えばＤＶＤなどのデジタル記録メディア１枚に、より短い時間でダビングすることができる。
【００４２】
また、本実施形態のダビング装置は、例えばＤＶＤなどのデジタル記録メディアの空き容量に対して最低のビットレートで記録した場合の記録可能時間が、例えばＶＨＳなどの磁気テープメディアに記録されている映像音声情報の時間よりも短い場合は、誤ってダビング実行を行わないよう構成されている。
【００４３】
また、本実施形態のダビング装置は、例えばビデオテープなどの磁気テープメディアに記録されているアナログ映像音声記録情報を、例えばＤＶＤなどのデジタル記録メディアの複数枚に連続してダビングを行うときに、より短い時間でダビングを完了できる。
【００４４】
以下、以上のように構成された本実施形態にかかるダビング装置において、ビデオテープからＤＶＤへダビングする場合の動作を、図１と図２を用いて説明する。
【００４５】
図２において、Ｍ１は、ダビング元となるビデオテープメディアである。Ｔ１は、ビデオテープメディアＭ１を始端から終端まで再生するために必要な時間であるテープ総再生時間である。ＰＧ１は、ビデオテープメディアＭ１に記録されている１つ目の番組である。ＰＧ２は、ビデオテープメディアＭ１に記録されている２つ目の番組である。ＰＧ３は、ビデオテープメディアＭ１に記録されている３つ目の番組である。Ｂ１は、番組ＰＧ１と番組ＰＧ２との間の無記録部である。Ｂ２は、番組ＰＧ２と番組ＰＧ３との間の無記録部である。すなわち、ビデオテープメディアＭ１は、番組ＰＧ１、番組ＰＧ２、および番組ＰＧ３が記録された部分と、無記録部Ｂ１および無記録部Ｂ２とを含む。図２に示すＴ２は、番組ＰＧ１と番組ＰＧ２と番組ＰＧ３とを連続して再生する時に必要とされる時間（総記録時間）である。Ｍ２は、ダビング先となるＤＶＤメディアのダビング前の状態を示す。ＲＡは、ＤＶＤメディアＭ２の全記憶領域（ＤＶＤ全領域）である。Ｒ１は、ダビング前のＤＶＤメディアＭ２において既に映像音声情報が記録されている既記録領域である。Ｒ２は、ダビング前のＤＶＤメディアＭ２で情報が記録されていない空き領域である。Ｍ３は、空き領域Ｒ２に対して番組ＰＧ１と番組ＰＧ２と番組ＰＧ３とが収まるようにビットレートを調整してダビングが行われた後のＤＶＤメディアを表す。
【００４６】
制御部１５は、ユーザインタフェース部１４を介してユーザからダビング実行指示が入力された時、磁気テープメディア駆動部１０と始終端検出部９を用いて、終端まで磁気テープメディア１を早送りし、その後、始端まで磁気テープメディア１を巻き戻しながら、再生コントロール検出部１１を用いて磁気テープメディア１に記録されている再生コントロール信号の数を取得する。制御部１５は、取得した再生コントロール信号の数に基づいて総記録時間Ｔ２を算出し、記憶部１２に算出結果を記録する。
【００４７】
再生コントロール信号とは、磁気テープメディア１にアナログ映像音声情報を記録する際に一緒に記録される信号である。アナログ映像音声情報が記録されていない部分（例えば図２の未記録部Ｂ１，Ｂ２）には、再生コントロール信号は存在しない。例えば、ＶＨＳの磁気テープメディアにＮＴＳＣのアナログ映像音声情報を記録する場合、このアナログ映像音声情報と共に、１秒間に３０パルスの矩形信号が再生コントロール信号として記録される。再生コントロール信号は、磁気テープメディア１の再生時あるいは早送りまたは巻き戻しの際に、コントロールヘッドにより読みとることができる。上述のように、再生コントロール信号は、アナログ映像音声情報が記録されている部分に等間隔に記録されているため、再生コントロール信号の間隔をｔ、磁気テープメディア１を終端から始端まで巻き戻す間に読みとられる再生コントロール信号の数をｎとすると、磁気テープメディア１に記録されているアナログ映像音声情報の総記録時間Ｔ２は、およそｔ×（ｎ−１）として求められる。
【００４８】
制御部１５は、さらに、デジタル記録メディア空き容量取得部６を用いて、デジタル記録メディア２の空き容量Ｒ２を取得し、空き容量Ｒ２に対して、記憶部１２に記憶された総記録時間Ｔ２に相当する映像音声情報が収まるように、デジタル記録メディア２への記録時のビットレートを決定する。そして、制御部１５は、その決定されたビットレートで、デジタル記録メディア２への記録と磁気テープメディア１の再生が同時に行われるように、デジタル記録部７と磁気テープメディア再生部８に指令を出し、ダビングを開始する。すなわち、磁気テープメディア再生部８により磁気テープメディア１からアナログ映像音声情報を再生しながら、再生したアナログ映像音声情報を、デジタル記録部７の指示により、アナログデジタル変換部４を用いて、上述のとおり決定されたビットレートでデジタル映像音声情報に変換し、デジタル記録メディアアクセス部５を用いてデジタル記録メディア２へ記録する。
【００４９】
なお、ダビング中に、再生コントロール信号検出部１１により、磁気テープメディア１から再生中の情報に再生コントロール信号が無いと検出された時は、制御部１５は、デジタル記録部７に対して、デジタル記録メディア２への記録を一時停止するよう指令する。その後、再生コントロール信号が再び検出された時、制御部１５は、デジタル記録部７に対して、デジタル記録メディア２への記録を再開するよう指令する。これにより、例えば、番組ＰＧ１をデジタル記録メディア２へ記録した後、未記録部Ｂ１の再生中はデジタル記録メディア２への記録が一時停止され、番組ＰＧ２の再生が開始されたところで、デジタル記録メディア２への記録が再開されることとなる。
【００５０】
以上の処理によれば、ダビング後のＤＶＤメディア３では、空き領域Ｒ２に対して、番組ＰＧ１と番組ＰＧ２と番組ＰＧ３が収まるようにビットレートが調整されてダビングされており、かつ、番組間の未記録部Ｂ１，Ｂ２はカットされた状態となっている。
【００５１】
また、制御部１５は、デジタル記録メディア２の空き容量Ｒ２に対して最低のビットレートで記録した場合の記録可能時間が、磁気テープメディア１の総記録時間Ｔ２よりも短い場合は、ユーザインタフェース部１４に警告表示を行い、ダビングを中止することのできる機能を有している。その機能を用いることで、最低のビットレートで記録したとしても磁気テープメディア１の映像音声情報の全てを記録できるだけの空き容量がデジタル記録メディア２にない場合に、誤ってダビングを実行することを未然に防ぐことができる。
【００５２】
また、制御部１５は、ダビング中に始終端検出部１１により終端が検出された時、ダビングを終了するように磁気テープメディア再生部８とデジタル記録部７に指示する。
【００５３】
なお、ユーザは、１本の磁気テープメディア１に記録されているアナログ映像音声情報を、複数のデジタル記録メディア２へダビングしたい場合がある。そのような場合、ユーザは、１回のダビングが終了すると、通常、磁気テープメディア１を取り出さずに、デジタル記録メディア２のみを新しいメディアに入れ替えて、再度、ユーザインタフェース部１４を介してダビング実行指示の入力を行う。この場合は、制御部１５は、磁気テープメディア駆動部１０と始終端検出部９を用いて、磁気テープメディア１を始端まで巻き戻す。そして、巻き戻しが完了すると、制御部１５は、デジタル記録メディア空き容量取得部６を用いて、新たに装着されたデジタル記録メディア２の空き容量Ｒ２を取得する。次に、制御部１５は、ここで取得した空き容量Ｒ２と、１回目のダビング時に記録部１２に記憶した総記録時間Ｔ２とを用いて、デジタル記録メディア２への記録時のビットレートを決定し、決定したビットレートに従ってダビングを開始する。すなわち、同一の磁気テープメディア１から複数のデジタル記録メディア２へ連続してダビングを行う場合は、２回目以降のダビング時は、磁気テープメディア１の総記録時間Ｔ２を求めるための早送り及び巻き戻しは省略され、総記録時間Ｔ２として、１回目のダビング時に記録部１２に記憶された値が用いられる。このように、同一の磁気テープメディア１から複数のデジタル記録メディア２へ連続してダビングを行う場合、２回目以降のダビング時に総記録時間Ｔ２を求めるための早送り及び巻き戻しを省略することで、ダビングをより短い時間で完了させることができる。
【００５４】
次に、図３（Ａ）〜３（Ｄ）に示すフローチャートを用いて、本実施形態にかかるダビング装置において、磁気テープメディア１からデジタル記録メディア２にダビングする手順を説明する。なお、本実施形態における磁気テープメディアは一例としてビデオテープであり、デジタル記録メディアはＤＶＤとする。
【００５５】
ＳＡは、ダビング実行指示が入力されたときに実行される自動ダビング処理である。ＳＢは、テープが走行している時に再生コントロール信号が検出された時に実行される再生コントロール信号検出処理である。
【００５６】
再生コントロール信号検出処理ＳＢでは、ビデオテープを挿入して初めてのダビング操作における巻き戻しで再生コントロール信号が検出された時は、次にＳ２１の処理を行い、そうでない時は再生コントロール信号検出処理ＳＢを終了する（Ｓ２０）。
【００５７】
Ｓ２１では、再生コントロールバッファの格納値に１を加算して、再生コントロール信号検出処理ＳＢを終了する。なお、再生コントロールバッファは、検出された再生コントロール信号の数を格納するバッファであり、記憶部１２に設けられる。
【００５８】
自動ダビング処理ＳＡでは、まず、ビデオテープが挿入されて初めてのダビング操作の時は、次にＳ１へ進み、ビデオテープの早送り処理を行う。そうでない場合は後述のＳ５へ進む（Ｓ０）。
【００５９】
Ｓ１でビデオテープの早送り処理を行った後は、終端が検知されるのを持つ（Ｓ２）。終端が検知されたら、ビデオテープの走行を停止させ（Ｓ３）、再生コントロールバッファを０に初期化する（Ｓ４）。
【００６０】
次に、ビデオテープの巻き戻しを行い（Ｓ５）、ビデオテープの始端が検出されるのを待つ（Ｓ６）。この巻き戻しの間に、再生コントロール信号が検出される都度、再生コントロール信号検出処理ＳＢが実行される。ビデオテープの始端が検知されたら、ビデオテープの走行を停止させ（Ｓ７）、巻き戻しの間に再生コントロール信号検出処理ＳＢにより加算された再生コントロールバッファの格納値から、ビデオテープの総記録時間を算出し、算出された値を、ビデオテープ総記録時間バッファに記憶させる（Ｓ８）。ビデオテープ総記録時間バッファも記憶部１２に設けられる。なお、この時、ビデオテープが挿入されたままの２回目以降のダビング操作の場合は、前回のダビングで使われた、再生コントロールバッファおよびビデオテープ総記録時間バッファの値を再利用することになる。
【００６１】
次に、ＤＶＤの空き容量を取得し（Ｓ９）、空き容量に対して最低のビットレートで記録した場合の記録可能時間が、ビデオテープ総記録時間バッファの値が表す時間よりも短い場合、ダビング不可と判断し、Ｓ１８へ進む。そうでなかった場合は、ダビング可能と判断し、Ｓ１１へ進む（Ｓ１０）。
【００６２】
Ｓ１０にてダビング不可と判断された場合は、警告の表示を行い（Ｓ１８）、自動ダビング処理ＳＡを終了する。
【００６３】
また、Ｓ１０にてダビング可能と判断された場合は、ビデオテープ総記録時間バッファの値が表す時間に相当する映像音声情報がＤＶＤの空き容量に対して収まるように、デジタル記録メディア２への記録時のビットレートを算出し、算出した値をビットレートバッファに格納する（Ｓ１１）。ビットレートバッファも記憶部１２に設けられる。次に、ビデオテープの再生と、再生したデータの、ビットレートバッファの値に従ったビットレートでのＤＶＤへの記録とを開始し（Ｓ１２）、ビデオテープが終端まで到達するのを待つ（Ｓ１３）。
【００６４】
その間、ビデオテープの再生中の区間に再生コントロール信号が有る間は、Ｓ１６の処理を行い、そうでない時はＳ１５の処理を行う（Ｓ１４）。
【００６５】
Ｓ１６では（再生コントロール信号がある場合）、ＤＶＤの録画処理を行う。Ｓ１５では（再生コントロールがない場合）、ＤＶＤ録画を一時停止させる。
【００６６】
Ｓ１３にてビデオテープの終端が検出されると、ビデオテープを停止し、ＤＶＤを停止させ（Ｓ１７）、自動ダビング処理ＳＡを終了する。
【００６７】
ここで、Ｓ１１におけるビットレートの調整処理について、図４を参照しながら説明する。
【００６８】
制御部１５は、まず、再生コントロール信号検出処理ＳＢで検出されたコントロール信号の数に基づき、ビデオテープの録画時間（Ａ）を算出する（Ｓ１１１）。ここで、例えば、Ａ＝３６００秒であるものとする。
【００６９】
制御部１５は、次に、Ｓ９で取得されたＤＶＤ空き容量を、ＳＰモードで記録可能な秒数（Ｃ）に変換する（Ｓ１１２）。なお、ＳＰモードとは、ＤＶＤの片面に約２時間のコンテンツがちょうど収まるようなビットレートでの記録モードである。Ｓ９で取得されるＤＶＤ空き容量は（Ｂ）は、一般的に、空いているセクタ数から求められるが、ＶＢＲ余裕量を考慮した値が求められる。ここで、例えば、Ｃ＝１８００秒であったものとする。
【００７０】
次に、制御部１５は、レート（Ｄ）とＦＲモードでのビットレート（Ｅ）とを計算する（Ｓ１１３）。ＦＲモードとは、フレキシブルレコーディングモードを意味し、ディスクの空き容量に合わせて可能な限り最高のビットレートで記録するモードである。レートＤは、空き容量から換算された秒数Ｃを録画時間Ａで割ることから求められる。次に、制御部１５は、求められたレートＤにＳＰモードでのビットレート（ＳＰｂ）を乗ずることにより、ＦＲモードでのビットレートＥを求める。上記の例では、Ｄ＝Ｃ／Ａ＝１８００／３６００＝０．５となり、Ｅ＝Ｄ×ＳＰｂ＝０．５×ＳＰｂとなる。従って、この場合は、ＳＰモードでのビットレートの半分のビットレートにより、ＤＶＤへの記録を行うこととなる。
【００７１】
なお、Ｓ１１３の後に、Ｓ１１３で求められたＦＲモードでのビットレートＥが、ＸＰモードからＥＰモードまでのビットレートの範囲に収まるかチェックするようにしても良い。ＤＶＤの場合、ＸＰモードからＥＰモードまでの間には、ＸＰモード、ＳＰモード、ＬＰモード、およびＥＰモードの４段階のモードがある。ＸＰモードとは、ＤＶＤの片面に約１時間のコンテンツが収まるようなビットレートで記録するモードである。ＬＰモードは、ＤＶＤの片面に約４時間のコンテンツが収まるようなビットレートで記録するモードである。ＥＰモードは、ＤＶＤの片面に約６時間のコンテンツが収まるようなビットレートで記録するモードである。すなわち、ＸＰモードでのビットレートが一番高く、ＥＰモードでのビットレートが一番小さい。従って、Ｓ１１３で求められたビットレートＥがＸＰモードでのビットレートより大きい場合は、ＸＰモードのビットレートでＤＶＤへの記録を行うようにしても良い。Ｓ１１３で求められたビットレートＥがＥＰモードでのビットレートより小さい場合は、ＥＰモードのビットレートでＤＶＤへの記録を行うようにしても良い。
【００７２】
上記にて説明したように、本実施形態にかかるダビング装置によれば、簡単なユーザ操作で、例えばビデオテープなどの磁気テープメディア一本に記録されるアナログ映像音声情報の記録部分全てを、例えばＤＶＤなどのデジタル記録メディア一枚に、より短い時間でダビングを行うことができる。また、例えばＤＶＤなどのデジタル記録メディアの空き容量に対して、最低のビットレートで記録した場合の記録可能時間が、例えばＶＨＳなどの磁気テープメディアに記録されている映像音声情報の時間よりも短い時に、誤ってダビングの実行を行わずに済む。また、例えばビデオテープなどの磁気テープメディアに記録されているアナログ映像音声情報を、例えばＤＶＤなどのデジタル記録メディアの複数枚に連続してダビングを行うときに、より短い時間で行うことができる。
【００７３】
なお、上記説明では、アナログ記録媒体がビデオテープであり、デジタル記録媒体がＤＶＤである場合について主に説明したが、アナログ記録媒体はビデオテープに限定されず、デジタル記録媒体もＤＶＤに限定されない。
【産業上の利用可能性】
【００７４】
本発明は、アナログ記録媒体に記録された映像音声情報をデジタル記録媒体へ短時間でダビングする情報記録再生装置として有用である。
【図面の簡単な説明】
【００７５】
図１は、本発明の実施の形態におけるダビング装置の構成を示すブロック図である。
【００７６】
図２は、同実施の形態においてビデオテープからＤＶＤへダビングされるデータの様子を示す模式図である。
【００７７】
図３（Ａ）〜３（Ｄ）は、同実施の形態におけるビデオテープからＤＶＤへのダビングの動作を示すフローチャートである。
【００７８】
図４は、同実施の形態におけるビットレートの決定処理の動作を示すフローチャートである。
【手続補正３】
【補正対象書類名】図面
【補正対象項目名】全図
【補正方法】変更
【補正の内容】
【図１】
2005027132.tif 000010
【図２】
2005027132.tif 000011
【図３（Ａ）】
2005027132.tif 000012
【図３（Ｂ）】
2005027132.tif 000013
【図３（Ｃ）】
2005027132.tif 000014
【図３（Ｄ）】
2005027132.tif 000015
【図４】
2005027132.tif 000016
【国際調査報告】
2005027132.tif 000017
2005027132.tif 000018
2005027132.tif 000019
2005027132.tif 000020